(57)【要約】【課題】パワーサプライヤーの電力出力の連接パターンがフレキシブルになり、消費者およびメーカーの要求に満足でき、生産コストが低減になり、地球環境に優しい。【解決手段】多数の電力端子接続穴（２１）を有する電力整合ボード（２０）と、前記電力端子接続穴（２１）に固定される第一電力接続部（２２１）と、前記第一電力接続部（２２１）に電気的に連接される第二電力接続部（２２２）とを含む第一接続具（２２）と、少なくとも第二接続具（２３）が一つ配置してあり、前記第二接続具（２３）は、前記第二電力接続部（２２２）に電気的に連接される第三電力接続部（２３１）と、前記第三電力接続部（２３１）に電気的に連接され前記電源ケーブル（２４）に電気的に連接される第四電力接続部（２３２）とを含む電源ケーブル（２４）とを有することを特徴とするモジュール化電力整合ボード。【選択図】図３
0003126617.tif 000002
【実用新案登録請求の範囲】
【請求項１】
一つの電力整合ボード（２０）と、多数の第一接続具（２２）と、多数本の電源ケーブル（２４）とを含むモジュール化電力整合ボードにおいて、
前記電力整合ボード（２０）は、多数の電力端子接続穴（２１）を有し、
前記第一接続具（２２）は、前記電力端子接続穴（２１）に固定される第一電力接続部（２２１）と、前記第一電力接続部（２２１）に電気的に連接される第二電力接続部（２２２）とを含み、
前記電源ケーブル（２４）は、少なくとも第二接続具（２３）が一つ配置してあり、前記第二接続具（２３）は、前記第二電力接続部（２２２）に電気的に連接される第三電力接続部（２３１）と、前記第三電力接続部（２３１）に電気的に連接され前記電源ケーブル（２４）に電気的に連接される第四電力接続部（２３２）とを含むことを特徴とする、モジュール化電力整合ボード。
【請求項２】
前記多数の電力端子接続穴（２１）は、相異の電圧レベルを持つ電位ゾーン（２０１，２０２）を多数に分け可能であることを特徴とする、請求項１に記載のモジュール化電力整合ボード。
【請求項３】
前記第四電力接続部（２３２）に、多数本の電源ケーブル（２４）を同時に接続可能であることを特徴とする、請求項１に記載のモジュール化電力整合ボード。
【考案の詳細な説明】
【技術分野】
【０００１】
本考案は、モジュール化電力整合ボードに係り、特に、先に電位の測定を実施可能であり、且つ電力の使用状況を見て適用の電源ケーブルを採用することにより、組合がモジュール化になる電力整合ボードに関するものである。
【背景技術】
【０００２】
パソコン技術は、インターネットおよびマルチメディアの機能の日進月歩に従って、その進展は極めて快速であり、なお、周辺装置である、ハードディスク、CD-ROMドライブ、書き込みドライブなどが既に家庭用またはサーバー用パソコンの基本配備になり、だから、電力を供給するパワーサプライヤーの必要な出力が増加になり、従来の２５０Ｗのものは既に出力不足になり、４５０Ｗまたは５００Ｗの出力を持つパワーサプライヤーでないと、充分の電力をパソコンに供給することができなくなる。
【０００３】
図１に示すのは、従来のパワーサプライヤーの内部にある電力整合ボードの概略図である。現在の技術によれば、多数の電源ケーブルの引出し空間およびケーブル整理の問題を考慮すると、電力整合ボード１０は、出力電力回路を一つのゾーンに整合して、前記ゾーンの電力端子接続穴１１に各電源ケーブル１２の端部１２１を挿入して溶接することにより、電力が電力整合ボード１０から電源ケーブルに流入することができる。
【０００４】
しかしながら、従来のパワーサプライヤーは溶接のようなフレキシブルでない方式を採用すると、使用が極めて不便になり、それは、現在のパワーサプライヤーのコネクターは相異の仕様が多数あり、例えば周辺電力コネクター（Peripheral Power Connector,4Pin,いわゆる4Pのもの）と、系列的ＡＴＡ電力コネクター（Serial ATA Power Connector,15Pin,いわゆるSATAのもの）とがある。消費者のニーズを満足するために、現在に市販しているパワーサプライヤーは、全部のコネクターを4P仕様にするものがあるし、全部のコネクターをSATA仕様にするものもあるし、4PおよびSATA仕様のコネクターをそれぞれ半分にするものもある。
【０００５】
例えば、消費者がSATA仕様のコネクターを持つ装置を購入した時に、パワーサプライヤーのSATA仕様のコネクターの数量が不足である場合には、SATA仕様のコネクターの数量が充分であるパワーサプライヤーを再購入することが必要である。パワーサプライヤーのメーカーにとって、単一の電力整合ボードで多数のコネクター仕様を提供できないと在庫管理が困難になる。また、環境保全の規定（例えば電機電子製品に使用される有害物質使用量を低減する規定（RoHS））によれば、溶接不良率を低減可能の鉛の使用量は大幅に低減するが必要になり、ひいては溶接方式を採用する電力整合ボードの不良率が高くなり、なお、溶接した後に電位測定プロセスを経て溶接やり直しの必要性を判断することは、工数が無駄にする。
【考案の開示】
【考案が解決しようとする課題】
【０００６】
本考案の主な目的は、パワーサプライヤーの電力出力の連接パターンがフレキシブルになり、消費者およびメーカーの要求に満足でき、生産コストが低減になり、地球環境に優しいモジュール化電力整合ボードを提供する。
【課題を解決するための手段】
【０００７】
上記目的を達成するためになされた本願の考案は、一つの電力整合ボード（２０）と、多数の第一接続具（２２）と、多数本の電源ケーブル（２４）とを含むモジュール化電力整合ボードにおいて、前記電力整合ボード（２０）は、多数の電力端子接続穴（２１）を有し、前記第一接続具（２２）は、前記電力端子接続穴（２１）に固定される第一電力接続部（２２１）と、前記第一電力接続部（２２１）に電気的に連接される第二電力接続部（２２２）とを含み、前記電源ケーブル（２４）は、少なくとも第二接続具（２３）が一つ配置してあり、前記第二接続具（２３）は、前記第二電力接続部（２２２）に電気的に連接される第三電力接続部（２３１）と、前記第三電力接続部（２３１）に電気的に連接され前記電源ケーブル（２４）に電気的に連接される第四電力接続部（２３２）とを含むことを特徴とするモジュール化電力整合ボードであることを要旨としている。
【０００８】
本願の考案では、前記多数の電力端子接続穴（２１）は、相異の電圧レベルを持つ電位ゾーン（２０１，２０２）を多数に分け可能であることを特徴とする請求項１に記載のモジュール化電力整合ボードであることを要旨としている。
【０００９】
本願の考案では、前記第四電力接続部（２３２）に、多数本の電源ケーブル（２４）を同時に接続可能であることを特徴とする請求項１に記載のモジュール化電力整合ボードであることを要旨としている。
【考案の効果】
【００１０】
本考案のモジュール化電力整合ボードによれば、パワーサプライヤーの電力出力の連接パターンがフレキシブルになり、消費者およびメーカーの要求に満足でき、生産コストが低減になり、地球環境に優しい効果がある。
【考案を実施するための最良の形態】
【００１１】
以下、添付図面を参照して本考案の好適な実施の形態を詳細に説明する。
【００１２】
まず、図２と図３を参照する。図２は本考案の実施例の外観斜視図であり、図３は本考案の実施例の構造の分解斜視図である。本考案のモジュール化電力整合ボードは、一つの電力整合ボード２０と、少なくとも一組の接続具と、多数本の電源ケーブル２４とを含み、前記接続具は、前記電力整合ボード２０に固定される一つの第一接続具２２と、前記第一接続具２２と電源ケーブル２４とを電気的に連接する、少なくとも一つの第二接続具２２とを含み、前記電源ケーブル２４にはコネクター２５が複数に連接してある。
【００１３】
前記電力整合ボード２０には電位ゾーン２０１，２０２が複数に設けてあり、各電位ゾーン２０１，２０２には電力端子接続穴２１が多数に設けてあり、本実施例では、前記電位ゾーン２０１，２０２がそれぞれ相異の電圧レベルを各電源ケーブルに供給する。これにより、前記電力整合ボード２０の電位ゾーン２０１，２０２に電力端子接続穴２１を設けると、電位測定プロセスによって溶接やり直しの必要性を即時に判断することができ、だから、電位測定プロセスの工数が低減になる。
【００１４】
前記第一接続具２２は、前記電力端子接続穴２１に固定される第一電力接続部２２１と、前記第一電力接続部２２１に電気的に連接される第二電力接続部２２２とを含み、本実施例では、前記第一接続具２２はプレス加工によって一体成形された円柱形状の金属素子である。
【００１５】
次に、図４Ａと図４Ｂを参照する。図４Ａは本考案の実施例の一部の組合状態を示す概略図であり、図４Ｂは本考案の実施例の他の一部の組合状態を示す概略図である。
【００１６】
前記第二接続具２３は、前記第二電力接続部２２２に電気的に連接される第三電力接続部２３１と、前記第三電力接続部２３１に電気的に連接され前記電源ケーブル２４に電気的に連接される第四電力接続部２３２とを含む。本実施例では、前記第二接続具２３は、プレス加工によって一体成形された円柱形状の金属素子であり、一つの収容空間２３３を有し、前記収容空間２３３は、その第三電力接続部２３１で第二電力接続部２２２と連接し、その第四電力接続部２３２で電源ケーブル２４の導電端２４１と連接し、そして前記電源ケーブル２４の導電端２４１は、第二電力接続部２２２と連接して前記収容空間２３３の後ろに位置してもいいし、第二電力接続部２２２または第三電力接続部２３１に溶接してもよく、これにより、前記電源ケーブル２４と第一接続具２２との連接強度が向上になる。また、多数本の電源ケーブル２４を括るために、前記第二接続具２３の中段には縮径された。
【００１７】
そうすると、第二接続具２３に電源ケーブル２４が挿入すると、多数本の電源ケーブル２４は、第二接続具２３の中段で括られ、且つ導電端２４１を介して第二電力接続部２２２と連接するので、電力は、電力整合ボード２０から、電位ゾーン２０１，２０２、電力端子接続穴２１、第一接続具２２を順次に経て電源ケーブル２４に供給される。
【００１８】
上記説明から明らかなように、第一接続具２２と電力端子接続穴２１とにより、本考案の電力整合ボードは電位測定プロセスを先に実施することができ、工数を低減することができる。そして本考案の電力整合ボードは、電源ケーブル２４に、第一接続具２２と電気的に連接する第二接続具２３を設けることにより、単一の電力整合ボードで多数のコネクター仕様を提供することができる。
【００１９】
このように、本考案は、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２０】
【図１】従来のパワーサプライヤーの内部にある電力整合ボードの概略図である。
【図２】本考案の実施例の外観斜視図である。
【図３】本考案の実施例の構造の分解斜視図である。
【図４Ａ】本考案の実施例の一部の組合状態を示す概略図である。
【図４Ｂ】本考案の実施例の他の一部の組合状態を示す概略図である。
【符号の説明】
【００２１】
１０・・電力整合ボード、１１・・電力ポート、１２・・電源ケーブル、１２１・・ケーブル端部、２０・・電力整合ボード、２１・・電力端子接続穴、２２・・第一接続具、２３・・第二接続具、２４・・電源ケーブル、２５・・コネクター、２０１，２０２・・電位ゾーン、２２１・・第一電力接続部、２２２・・第二電力接続部、２３１・・第三電力接続部、２３２・・第四電力接続部、２３３・・収容空間、２４１・・導電端。
【図１】
0003126617.tif 000003
【図２】
0003126617.tif 000004
【図３】
0003126617.tif 000005
【図４Ａ】
0003126617.tif 000006
【図４Ｂ】
0003126617.tif 000007